(57)【要約】【課題】本発明は、経緯糸の色彩を特異的に組合せることで、順通しでも製織可能であり、凹凸感の強調された太細調ピケ織物を提供することを目的とする。【解決手段】２本以上の経糸よりなる２つの経畝部ＨＡ，ＨＢと、２本以上の経糸よりなる２つの平坦部ＬＡ，ＬＢとが、ＨＡ，ＬＡ，ＨＢ，ＬＢの順に配列された構成の一完全組織を有し、かつ該一完全組織の経糸本数が１６本以下であるピケ織物において、ＬＡ及びＬＢのＨＡに隣接する緯浮き組織点の緯糸は、隣接するＨＡ端部の経糸と同色彩であり、ＬＡ及びＬＢのＨＢに隣接する緯浮き組織点の緯糸は、隣接するＨＢ端部の経糸と異色彩である。【選択図】図１
2005002513.tif 000002
【特許請求の範囲】
【請求項１】
２本以上の経糸よりなる２つの経畝部ＨＡ，ＨＢと、２本以上の経糸よりなる２つの平坦部ＬＡ，ＬＢとが、ＨＡ，ＬＡ，ＨＢ，ＬＢの順に配列された構成の一完全組織を有し、かつ該一完全組織の経糸本数が１６本以下であるピケ織物において、ＬＡ及びＬＢのＨＡに隣接する緯浮き組織点の緯糸は、隣接するＨＡ端部の経糸と同色彩であり、ＬＡ及びＬＢのＨＢに隣接する緯浮き組織点の緯糸は、隣接するＨＢ端部の経糸と異色彩であることを特徴とする太細調ピケ織物。
【請求項２】
前記経畝部ＨＡ，ＨＢの経糸にセルロース繊維を配し、かつ平坦部ＬＡ，ＬＢの経糸にポリエステル繊維を配する、あるいは、前記経畝部ＨＡ，ＨＢの経糸にポリエステル繊維を配し、かつ平坦部ＬＡ，ＬＢの経糸にセルロース繊維を配することを特徴とする請求項１記載の太細調ピケ織物。
【請求項３】
前記平坦部ＬＡ及びＬＢの経畝部ＨＢに隣接する緯浮き組織点の緯糸が、隣接するＨＢ端部の経糸と染着性の異なる繊維であることを特徴とする請求項１又は２記載の太細調ピケ織物。
【請求項４】
経糸がセルロース繊維であり、前記平坦部ＬＡ及びＬＢの経畝部ＨＡに隣接する緯浮き組織点の緯糸がセルロース繊維であり、ＬＡ及びＬＢのＨＢに隣接する緯浮き組織点の緯糸がポリエステル繊維であることを特徴とする請求項１記載の太細調ピケ織物。
【発明の詳細な説明】
【０００１】
【発明の属する技術分野】
本発明は、ピケ織物に関するものである。
【０００２】
【従来の技術】
従来から、太細の畝が交互に繰り返される太細調ピケ織物は、一完全組織に太細の畝及びそれらの谷間の経糸を組み入れるため、一完全組織の経糸本数が増える傾向にあり、太細調が増すほどその傾向は顕著である。
一方、一完全組織の経糸本数と綜絖枚数は一致するので、該一完全組織の経糸本数が、織機の綜絖枚数を超える場合は、ドローイングを変化通しにて対応するのが一般的である。標準装備のドビー織機は、綜絖枚数が１６枚であるから、一完全組織の経糸本数が１６本を超える際は、変化通しにて対応する。
このように、太細の明瞭なピケ織物を製織する際には、変化通しで対処するのが一般的である。
【０００３】
他方、各経畝巾が一定の正則ピケ組織を有するピケ織物の表面感と風合いの向上を図るため、溶剤紡糸セルロース繊維とポリエステル繊維との精紡交撚糸を経緯に用いた織物が提案されている。（例えば、非特許文献１参照）
この織物は、確かに多彩な表情変化を有する表面感であるものの、これは、梨地調としての表面感であり、太細の畝が交互に繰り返される太細調の表面感ではない。
【０００４】
【非特許文献１】
「テキスタイル新複合素材の企画と加工」株式会社繊維社発行、１９９６年９月２５日発行、Ｐ１１
【０００５】
【発明が解決しようとする課題】
以上のように、従来法では、まず効率的な機械稼動を維持するのが難しいという問題がある。すなわち、近年の織物工場における生産体制は、多品種少ロット体制が主流で、リードタイムの短縮が望まれ、ドローイングを経糸つなぎで代用できる順通しが好まれ、変化通しは好まれない傾向にある。
他方、正則ピケ組織を有するピケ織物の表面感を改質することで、太細調の表面感を得る技術も存在しない。
本発明は、この様な現状に鑑みて行われたものであり、順通しでも製織可能である太細調ピケ織物を提供することを目的とする。
【０００６】
【課題を解決するための手段】
本発明者は、このような課題を解決するために鋭意検討の結果、経緯糸の色彩を特異的に組合せる、すなわち、経畝部端部に配された経糸の色彩と、それに隣接する緯浮き組織点に配された緯糸の色彩を同一にすれば、該経畝部が実際以上に巾を有するが如くに見えるという事実を見出し、本発明に到達した。
すなわち、本発明は以下の内容を要旨とする。
（１）２本以上の経糸よりなる２つの経畝部ＨＡ，ＨＢと、２本以上の経糸よりなる２つの平坦部ＬＡ，ＬＢとが、ＨＡ，ＬＡ，ＨＢ，ＬＢの順に配列された構成の一完全組織を有し、かつ該一完全組織の経糸本数が１６本以下であるピケ織物において、ＬＡ及びＬＢのＨＡに隣接する緯浮き組織点の緯糸は、隣接するＨＡ端部の経糸と同色彩であり、ＬＡ及びＬＢのＨＢに隣接する緯浮き組織点の緯糸は、隣接するＨＢ端部の経糸と異色彩であることを特徴とする太細調ピケ織物。
また、本発明では、以下のような好ましい態様も含むものである。
（２）前記経畝部ＨＡ，ＨＢの経糸にセルロース繊維を配し、かつ平坦部ＬＡ，ＬＢの経糸にポリエステル繊維を配する、あるいは、前記経畝部ＨＡ，ＨＢの経糸にポリエステル繊維を配し、かつ平坦部ＬＡ，ＬＢの経糸にセルロース繊維を配することを特徴とする（１）記載の太細調ピケ織物。
（３）前記平坦部ＬＡ及びＬＢの経畝部ＨＢに隣接する緯浮き組織点の緯糸が、隣接するＨＢ端部の経糸と染着性の異なる繊維であることを特徴とする（１）又は（２）記載の太細調ピケ織物。
（４）経糸がセルロース繊維であり、前記平坦部ＬＡ及びＬＢの経畝部ＨＡに隣接する緯浮き組織点の緯糸がセルロース繊維であり、ＬＡ及びＬＢのＨＢに隣接する緯浮き組織点の緯糸がポリエステル繊維であることを特徴とする（１）記載の太細調ピケ織物。
【０００７】
【発明の実施の形態】
以下、本発明を詳細に説明する。
まず、本発明は、図１に示す一完全組織の模式図の如く、２本以上の経糸からなる２つの経畝部ＨＡ，ＨＢと、２本以上の経糸よりなる２つの平坦部ＬＡ，ＬＢとが、交互にＨＡ，ＬＡ，ＨＢ，ＬＢの順に配された構成の、経糸８〜１６本の一完全組織を有するピケ織物を対象とする。
一完全組織とは、織物組織のパターンに必要な最小限の経緯糸から構成された織物組織の単位であり、本発明の織物は上記一完全組織の繰り返しから構成される。
ピケ織物とは、ＪＩＳ  Ｌ０２０６第１５頁１２９９番に、『経，緯二重の組織で接結点によって布面に緯方向の畝又はひし型その他の模様を現したもの。なお、経方向に畝のあるベットフォードコードのことを呼称することがある。』と記載されているが、本発明におけるピケ織物とは、この内、ベットフォードコードのような経方向に畝のある織物をいう。つまり本発明では、経方向に伸びた筋状の線（経畝）と経畝間に位置する平坦部とからなる柄を有した織物を対象とするのである。
本発明では、経畝部端部に配された経糸の色彩と、それに隣接する緯浮き組織点に配された緯糸の色彩を同一にすることで前記経畝部が実際以上に太く見えるという視覚的作用を利用する。したがって、たとえ織物組織中の各経畝巾が物理的には一定の正則ピケでも、これに接する色彩によって視覚的に太細調に見えるのである。そして、隣接する経畝の巾に物理的に差を設けた変則ピケにおいては、さらに太細感が顕著になるのである。
【０００８】
本発明では、一完全組織の経糸本数が８〜１６本である。これは、標準装備のドビー織機は、綜絖枚数が１６枚であるからである。一完全組織の好ましい経糸本数は１４枚以下の偶数である。これは耳組織を形成した方が、製織性が向上するためで、該耳組織形成に綜絖を２枚必要とするためである。さらに一完全組織の経糸本数が奇数であると、経糸準備工程でサイジングを伴う場合は、経糸つなぎを行うための畦取りが非常に煩雑となるため、偶数が好ましい。
【０００９】
次に、本発明に採用される組織について説明する。
既述の如く、一完全組織内に経畝部ＨＡ，ＨＢと平坦部ＬＡ，ＬＢが存在する。そして、ＬＡ及びＬＢのＨＡに隣接する緯浮き組織点の緯糸は、隣接するＨＡ端部の経糸と同色彩であり、ＬＡ及びＬＢのＨＢに隣接する緯浮き組織点の緯糸は、隣接するＨＢ端部の経糸と異色彩である。同色彩とは、色の三属性（明度，色相，彩度）が実質的に同一であることを意味し、これにより、一完全組織が正則ピケの場合は、視覚的な錯覚により、物理的には太細がないにもかかわらず太細感が認識され、変則ピケの場合は、物理的な太細以上に太細感が強調されるのである。
以上から、平坦部ＬＡ，ＬＢは２本以上の経糸から構成されなければならない。一方、経畝部ＨＡ，ＨＢについては理論上１本でもよいことになるが、１本では巾が細すぎて太細感に欠けるので、ＨＡ，ＨＢ共に２本以上の経糸から構成されるのが好ましい。
【００１０】
ここで、経畝部ＨＡ，ＨＢ及び平坦部ＬＡ，ＬＢの組織については、両部間の経浮き数に十分な差を設けたものであれば特に限定されない。具体的には、経畝部にはサテン，経面ツイル又はこれらの変化組織など経浮きの多い組織を採用し、平坦部にはこれらの反転組織、あるいは平坦さを強調するために、平組織，ナナコ組織などが採用される。
【００１１】
ここで、本発明の太細調ピケ織物にかかる経緯糸の色彩の組合せについて説明する。
図２を例にとり、本発明における経緯糸の色彩の組合せを説明する。
図２は、経畝部ＨＡ，ＨＢ及び平坦部ＬＡ，ＬＢがそれぞれ経糸４本及び２本で構成された一完全組織が正則ピケの一例を示す図である。ここで経糸１〜１２及び緯糸ａは全て同色彩で、これらの糸条の色彩と緯糸ｂの色彩が異なる場合を考える。経糸１〜４及び７〜１０はそれぞれ経畝部ＨＡ，ＨＢを、経糸５，６及び１１，１２は、それそれ平坦部ＬＡ，ＬＢをそれぞれ構成する。経畝部ＨＡ端部の経糸４と、この経糸４に隣接するＬＡの緯浮き組織点の緯糸、すなわち経糸５に交錯する緯浮き組織点の緯糸（緯糸ａ）とを対比してみると、同色彩の関係にある。
同様に、経畝部ＨＡ端部の経糸１と、この経糸１に隣接するＬＢの緯浮き組織点の緯糸すなわち経糸１２に交錯する緯浮き組織点の緯糸の緯糸（緯糸ａ）とを対比してみると、上記同様、同色彩の関係にある。
【００１２】
一方、ＨＢについても、経糸７と、経糸７に隣接するＬＡの緯浮き組織点の緯糸、すなわち経糸６に交錯する緯浮き組織点の緯糸（緯糸ｂ）を対比してみると、異色彩の関係にある。
同様に、経畝部ＨＢ端部の経糸１０と、この経糸１０に隣接するＬＢの緯浮き組織点の緯糸、すなわち経糸１１に交錯する緯浮き組織点の緯糸（緯糸ｂ）を対比してみると、上記同様、異色彩の関係にある。
つまり、ＨＡは、視覚的にあたかも経糸１〜４に両端の経糸１２，５を加えた６本で経畝部を構成しているように観察でき、対してＨＢは、物理的な組織通りの経糸４本での構成で観察できるのである。
【００１３】
さらに、図２では、全ての経糸が同一の色彩を有するものであるが、例えば、図３の如く、経畝部ＨＡ，ＨＢと平坦部ＬＡ，ＬＢの経糸の色彩を異なるものとすることで、凹凸感を強調することもできる。
【００１４】
また、経畝部ＨＡ，ＨＢをそれぞれ構成する経糸本数を違えることで経畝部ＨＡをより太く観察することができる。例えば図４は、経畝部ＨＡ，ＨＢがそれぞれ経糸４本及び３本で構成されている変則ピケの一例である。図２と同じく、経糸１〜１２及び緯糸ａは同色彩で、これらと緯糸ｂを異なる色彩にすることで、経畝部ＨＡをより太く観察できるのである。
【００１５】
次に、経緯糸の種類について説明する。
経緯糸の種類は、既述した特定の色彩関係を満足しうるものであれば特に限定されない。すなわち、このような色彩関係を満足すべく、色彩を異なるものとする手段としては、例えば、互いに染着性の異なる繊維を用い染色後に異色彩とする、あるいは、先染糸を使用して異色彩とする態様があげられる。
染着性が異なる繊維としては、可染染料の種類が互いに異なる素材からなる繊維、あるいは、同種素材でも、繊維の表面改質，繊維断面形状又は単糸繊度を変更するなどの処置により、染着性を異ならせた繊維を用いることができる。
【００１６】
本発明では、先染糸にて異色彩とするよりも、染色加工で異色彩とするのが好ましい。これは、染色加工によって織物が揉まれ、かつ収縮するため、ふくらみ感及びソフト感などの風合い向上を図ることができるからである。
本発明において、異色彩とするための異なる素材からなる繊維の組合せとして特に好ましいのは、綿などのセルロース繊維とポリエステル繊維である。それぞれ反応染料，分散染料で染色でき、色合せが容易で、風合い向上の効果に優れ、経緯のいずれにも適用できる。経畝部の経糸がセルロース繊維であり平坦部の経糸がポリエステル繊維である、あるいは、経畝部の経糸がポリエステル繊維であり平坦部の経糸がセルロース繊維であれば、凹凸感の強調を図ることができる。さらに、これらの組合せを経緯の両方に適用した場合は、ギンガム調の表面感も同時に得ることができる。
【００１７】
本発明の太細調ピケ織物は、公知の製織設備及び染色設備を用いて製造できる。
すなわち、経糸に先染糸を用いる場合は、サイジングをせず、ワインダーあるいは撚糸機で分割された糸条をクリールへ掛け、部分整経機にて経糸ビームを作製する。一方、先染糸を使用せず、サイジングを要する場合は、ワーパー，サイザーを経て、ビーミングで経糸ビームを、サイジングを要しない場合は、部分整経機にて経糸ビームをそれぞれ作製する。続いて経糸ビームへ順通しのドローイングを施し、エアージェットルーム，レピアルームなど公知の織機を用いて製織し、生機を得る。
得られた生機は、先染糸使いのものには、精練，ファイナルセットを施して本発明の太細調ピケ織物を得る。先染糸使いでないものには、精練，漂白，シルケット，染色，ファイナルセットを施して本発明の太細調ピケ織物を得る。
【００１８】
【実施例】
（実施例１）
綿コーマ糸３０番手単糸を用いて、サイジング，ビーミングを経て、経糸ビームを作製した。該経糸ビームに１２枚順通しのドローングを施し、該経糸ビームをエアージェットルームへ仕掛けた。一完全組織を図２に示すものとし、緯糸ａに綿コーマ糸２０番手単糸、緯糸ｂにポリエステル２０番手単糸を用いて、密度１２０本／吋×８２本／吋の生機を得た。
得られた生機に対し、糊抜き／精練，漂白，シルケット加工を施した後、反応染料染色，乾燥，分散染料染色を施した。得られた染上げ反に対し、乾燥，ファイナルセットを施して、本発明の太細調ピケ織物を得た。
【００１９】
（比較例１）
緯糸ａにポリエステル２０番手単糸を用いる以外は、実施例１と同様の生機設計にて生機を得、続いて、実施例１と同様の染色加工工程を経て、比較例１のピケ織物を得た。
なお、表１に実施例１及び比較例１の設計をまとめて表示する。
【００２０】
【表１】
2005002513.tif 000003
【００２１】
実施例１は、一完全組織を正則ピケとする本発明の例であり、経畝部ＨＡがＨＢよりも太く認識できた。また、経糸に綿糸を使用していることから、ソフト感，ナチュラル感にも優れていた。
さらに、設計面でも、ドローイングが順通しであることから、機替えが容易であり、生産効率に優れた設計であった。
一方、比較例１は、全緯糸にポリエステルを用いた例であり、経畝部ＨＡとＨＢの間に太細感がなく、物理的な組織の通りの表面感であった。
【００２２】
【発明の効果】
本発明の太細調ピケ織物は、視覚的な錯覚による太細感の認識を利用して、たとえ織物組織中の各経畝巾が物理的には一定の正則ピケでも、これに接する色彩によって視覚的に太細調に見える。そして、隣接する経畝の巾に物理的に差を設けた変則ピケの場合には、さらに太細感が顕著になるのである。
また、本発明の太細調ピケ織物は、一完全組織の経糸本数が１６本以下なのでドローイングを順通しで行え、機替えにかかるドローイングを経糸つなぎで代用でき、生産効率の向上に寄与できるものである。
【図面の簡単な説明】
【図１】本発明の太細調ピケ織物を形成する一完全組織の模式図である。
【図２】本発明の太細調ピケ織物を形成する一完全組織の例示である。
【図３】本発明の太細調ピケ織物を形成する一完全組織の例示で、経畝部と平坦部の素材が異なる例である。
【図４】本発明の太細調ピケ織物を形成する一完全組織の例示で、２つの経畝部の構成経糸本数が異なる例である。
【符号の説明】
１〜１２    経糸
ａ，ｂ      緯糸
ＨＡ，ＨＢ    経畝部
ＬＡ，ＬＢ    平坦部
【図１】
2005002513.tif 000004
【図２】
2005002513.tif 000005
【図３】
2005002513.tif 000006
【図４】
2005002513.tif 000007